(57)【特許請求の範囲】
【請求項１】
テレビ放送波を受信してテレビ画像を生成するテレビ画像生成手段と、
マトリクス状に配列された複数の操作キーと、
上記操作キーの配列に対応付けて上記テレビ画像が複数の拡大対象領域に予め区分され、上記操作キーの操作に基づいて、操作された操作キーに対応する上記拡大対象領域内の画像を拡大し、拡大テレビ画像を生成する画像拡大手段と、
上記操作キーの操作前に上記テレビ画像を含む表示画像を生成し、上記操作キーの操作後に上記テレビ画像の一部が残るように、上記拡大テレビ画像を上記テレビ画像上に重畳させて、上記拡大テレビ画像を含む表示画像を生成する表示画像生成手段と、
上記操作キーの押操作時に上記拡大テレビ画像を含む表示画像を表示する表示手段とを備え、
上記画像拡大手段が、上記拡大テレビ画像の拡大倍率を変えることなく、当該操作キーの押操作時間に基づいて上記拡大対象領域を広げて新たな拡大対象領域とし、
上記表示手段が新たな拡大対象領域に対応した拡大テレビ画像を含む表示画像を表示することを特徴とする携帯電話機。
【請求項２】
上記画像拡大手段は、上記操作キーの押下操作から開放操作までの時間に応じて、上記拡大対象領域を拡大させることを特徴とする請求項１に記載の携帯電話機。
【請求項３】
上記表示画像生成手段は、上記操作キーの押下操作に基づいて、上記拡大テレビ画像を含む表示画像を生成し、上記操作キーの開放操作に基づいて、上記テレビ画像を含む表示画像を生成することを特徴とする請求項１に記載の携帯電話機。
【請求項４】
上記表示手段の表示画面が長方形であり、
当該表示画面の長手方向を上記複数の操作キーからなる操作部に対して９０度の範囲で変位させて縦長表示状態または横長表示状態に切り替え可能とし、
上記表示画面の表示状態の切り替えを検出する切り替え検出手段を備え、
上記画像拡大手段は、上記横長表示状態及び上記縦長表示状態の表示画像のそれぞれに対応する拡大対象領域群を定めて、上記切り替え検出手段の検出結果に基づいて、上記拡大対象領域群の一方を選択することを特徴とする請求項１に記載の携帯電話機。
【発明の詳細な説明】
【技術分野】
【０００１】
本発明は、携帯電話機に関するものであって、特に、テレビ放送を視聴することができる携帯電話機に好適な発明である。
【背景技術】
【０００２】
携帯電話機の中には、放送基地局から発信されているテレビ放送波を受信するためのアンテナを備え、テレビ放送波に基づいて表示画面にテレビ画像を表示し、そのテレビ画像に対応するテレビ音声を出力することにより、テレビ放送を視聴することができるようになっているものがある。
【０００３】
この種の携帯電話機の一例としては、表示画面が長方形状に形成され、当該表示画面を縦長表示状態及び横長表示状態に切り替えることができるようになっているものがある。このように表示画面が長方形状に形成された携帯電話機は、例えば、上記縦長表示状態のときには、表示画面の長手方向を上下方向としてテレビ画像が表示され、上記横長表示状態のときには、表示画面の短手方向を上下方向としてテレビ画像が表示されるようになっている。
【０００４】
ところで、放送基地局から発信されているテレビ放送波に基づくテレビ画像中には文字などが含まれている場合がある。例えば、野球、サッカー、バレーボールなどのスポーツの中継放送においては、通常、表示画面の端に点数が表示される。しかしながら、携帯電話機の表示画面は、通常の家庭用テレビに比べて表示画面が非常に小さいため、得点表示が分かりにくい場合がある。
【０００５】
そこで、携帯電話機の表示画面に表示された文字などが視認し難い場合に、その部分を拡大して表示する技術が提案されている（例えば、特許文献１または特許文献２を参照）。
【０００６】
特許文献１および特許文献２に開示されている携帯電話機は、テンキーにおける各キーの配列に対応させて表示画面の全領域を等分に区分して拡大対象領域を形成している。そして、所定のキーによりキー操作が行われたときに、このキーに対応する拡大対象領域内の画像を拡大して表示させるようになっている。
【０００７】
なお、特許文献１の拡大表示機能を有する携帯電話機は、所定のキーを所定時間長押し操作することにより、このキーに対応した拡大対象領域内の画像を拡大して表示するようなっている。そして、この携帯電話機は、拡大画像を表示した状態から元の画像の状態に戻すときは、同一のキーを再度操作するようになっている。
【０００８】
また、特許文献２では、画像を複数に分割して分割画像を形成したり、これら分割画像を所定の倍率に拡大したりする動作はサーバで行い、このようにサーバで作成した拡大画像データを携帯電話機に送信するようになっている。
【特許文献１】特開２００５−３１６５５８号公報
【特許文献２】特開２００３−２７３９７１号公報
【発明の開示】
【発明が解決しようとする課題】
【０００９】
しかしながら、上記した画像を分割して拡大する技術は、表示画面の画像が表示される全領域をテンキーの各キーに対応して単純に等分に分割して拡大対象領域を定めておいて、何れかの拡大対象領域内の画像をそのまま所定の倍率で拡大しているだけである。その結果、各拡大対象領域の境界線を跨って連続した文字（文字列）が表示画面に表示されている場合には、この文字列の一部が拡大されず、文字列の内容が把握し難いという問題が生じ、拡大対象領域内の画像を拡大しても視認性が上がらなかった。
【００１０】
本発明は、上記の事情に鑑みてなされたものであり、表示画面に表示される画像の一部を拡大する場合に、拡大された画像の内容を視認しやすくできる携帯電話機を提供することを目的とする。
【課題を解決するための手段】
【００１１】
第１の本発明による携帯電話機は、受信したテレビ放送波に基づいて、テレビ画像を生成するテレビ画像生成手段と、マトリクス状に二次元配置された複数の操作キーからなる操作部と、上記テレビ画像の一部の領域として複数の拡大対象領域が予め定められ、上記操作キーの操作に基づいて、当該操作キーと予め対応付けられた上記拡大対象領域内の画像を拡大させることにより、拡大テレビ画像を生成する画像拡大手段と、通常閲覧モード時に上記テレビ画像を含む表示画像を生成する一方、拡大閲覧モード時に上記拡大テレビ画像を含む表示画像を生成する表示画像生成手段と、上記表示画像を表示する表示手段とを備え、上記各拡大対象領域は、その配列順序が、それぞれが予め対応付けられている上記操作キーの配列順序と一致し、かつ、隣接する拡大対象領域間に重複領域が形成されるように構成される。
【００１２】
また、本発明による携帯電話機は、テレビ放送波を受信してテレビ画像を生成するテレビ画像生成手段と、マトリクス状に配列された複数の操作キーと、上記操作キーの配列に対応付けて上記テレビ画像が複数の拡大対象領域に予め区分され、上記操作キーの操作に基づいて、操作された操作キーに対応する上記拡大対象領域内の画像を拡大し、拡大テレビ画像を生成する画像拡大手段と、上記操作キーの操作前に上記テレビ画像を含む表示画像を生成し、上記操作キーの操作後に上記テレビ画像の一部が残るように、上記拡大テレビ画像を上記テレビ画像上に重畳させて、上記拡大テレビ画像を含む表示画像を生成する表示画像生成手段と、上記操作キーの押操作時に上記拡大テレビ画像を含む表示画像を表示する表示手段とを備え、上記画像拡大手段が、上記拡大テレビ画像の拡大倍率を変えることなく、当該操作キーの押操作時間に基づいて上記拡大対象領域を広げて新たな拡大対象領域とし、上記表示手段が新たな拡大対象領域に対応した拡大テレビ画像を含む表示画像を表示するように構成される。このような構成によれば、何れかの上記拡大対象領域内の画像を拡大して表示させる場合、この拡大対象領域は、隣接する拡大対象領域間で重複領域が形成されるように定められているので、従来のように、表示画面に表示される画像の全領域を均等に区分して定められた拡大対象領域内の画像を単に拡大する場合に比べて、重複させた領域だけ拡大対象領域の範囲を広くできる。その結果、例えば、上記拡大対象領域の前記重複領域にテレビ画像のままでは内容を把握し難い文字列が存在する場合には、その文字列が多く含まれる上記拡大対象領域を指定することにより文字列の内容が把握できるようになる。
【００１３】
上記文字列としては、野球、サッカー、バレーボールなどのスポーツの中継放送における点数や、選手のデータを示す文字列、ニュースなどで表示される文字列などが挙げられる。また、上記文字列の他には、細かい模様の画像などが挙げられる。
【００１４】
さらに、本発明の携帯電話機では、上記各拡大対象領域は、その配列順序が、それぞれが予め対応付けられている上記操作キーの配列順序と一致するように定められているので、上記拡大対象領域と操作キーとの対応関係が分かり易く、ユーザは、容易に上記拡大対象領域を指定できる。
【００１５】
第２の本発明による携帯電話機は、上記構成に加えて、上記画像拡大手段は、上記テレビ画像が表示される領域よりも小さい領域で拡大テレビ画像を生成し、上記表示画像生成手段は、上記テレビ画像の一部を残すように、上記拡大テレビ画像を上記テレビ画像に重畳させて、当該拡大テレビ画像と、上記テレビ画像の一部とを有する表示画像を生成するように構成される。
【００１６】
このような構成によれば、上記拡大対象領域内の画像を拡大させて生成された上記拡大テレビ画像を表示手段で表示する場合、通常閲覧モードで表示されていた上記テレビ画像の上に上記拡大テレビ画像を重ね合わせるようにして、当該拡大テレビ画像の周囲に、拡大されていない上記テレビ画像の一部を表示できるので、上記テレビ画像のどの部分の拡大対象領域を拡大させているのかを簡単に判別できる。
【００１７】
第３の本発明による携帯電話機は、上記構成に加えて、上記操作キーの押下操作に基づいて、上記表示画像生成手段は、拡大閲覧モード用の上記拡大テレビ画像を含む表示画像を生成する一方、上記操作キーの開放操作に基づいて、上記表示画像生成手段は、通常閲覧モード用の上記テレビ画像を含む表示画像を生成するように構成される。
【００１８】
このような構成によれば、本発明の携帯電話機は、ユーザが所定の操作キーを押下する操作を行うことにより、拡大閲覧モードになって上記テレビ画像の一部を拡大させて表示させることができ、また、ユーザが押下していた操作キーから指を離して開放操作を行うことにより、簡単に通常閲覧モードに戻すことができる。
【００１９】
第４の本発明による携帯電話機は、上記構成に加えて、上記画像拡大手段は、上記操作キーが押下操作される時間に応じて、上記拡大対象領域を拡大して上記拡大テレビ画像を生成するように構成される。
【００２０】
また、本発明による携帯電話機は、上記画像拡大手段が、上記操作キーの押下操作から開放操作までの時間に応じて、上記拡大対象領域を拡大させるように構成される。このような構成によれば、本発明の携帯電話機は、上記操作キーを押し続けることにより、上記拡大対象領域を拡大するように変化させて、それまでに表示されていた拡大テレビ画像とは拡大対象領域が異なる拡大テレビ画像を上記表示手段に表示できるようになる。具体的には、上記操作キーを押し続けることにより、それまで定められていた上記拡大対象領域を拡大して領域の広さが異なる新たな拡大対象領域が定められて、この広い拡大対象領域内の画像を拡大させて新たな拡大テレビ画像を表示することができる。その結果、例えば、最初に上記表示手段に表示された上記拡大テレビ画像において、文字列などの端部が未だ切れた状態となって文字列などの把握が未だ十分に行えない場合が生じたときには、文字列などの内容を十分に把握できるようになる。
【００２１】
第５の本発明による携帯電話機は、上記構成に加えて、上記画像拡大手段は、上記操作キーが押下操作される時間に応じて、上記拡大対象領域の拡大倍率を増大して上記拡大テレビ画像を生成するように構成される。
【００２２】
このような構成によれば、上記操作キーを押し続けることにより、上記拡大対象領域を拡大する際の拡大倍率を増大するように変化させて、それまでに表示されていた拡大テレビ画像とは拡大倍率が異なる拡大テレビ画像を上記表示手段で表示できるようになる。具体的には、上記操作キーを押し続けることにより、それまで表示されていた拡大テレビ画像の拡大倍率よりも拡大倍率を大きくするように上記拡大対象領域の拡大倍率が定められて、拡大倍率が増大された新たな拡大テレビ画像を上記表示手段に表示することができる。その結果、例えば、最初に上記表示手段に表示された上記拡大テレビ画像において、文字列などが未だ判別し難い大きさである場合には、拡大倍率をさらに大きくして拡大テレビ画像を表示することにより、文字列などの内容を十分に把握できるようになる。
【００２３】
第６の本発明による携帯電話機は、上記構成に加えて、上記表示手段の表示画面が長方形であり、当該表示画面の長手方向を上記操作部に対して９０度の範囲で変位させて縦長表示状態または横長表示状態に切り替え可能とし、上記表示画面の表示状態の切り替えを検出する切り替え検出手段を備え、上記画像拡大手段が、上記横長表示状態及び上記縦長表示状態の表示画像のそれぞれに対応する拡大対象領域群を定めて、上記切り替え検出手段の検出結果に基づいて、上記拡大対象領域群の一方を選択するように構成される。
【００２４】
このような構成によれば、上記横長表示状態及び上記縦長表示状態のテレビ画像に対して拡大対象領域群が定められるので、上記表示画面の表示状態が切り替わったときでも、同じキー操作で、上記テレビ画像の同じ配列位置の上記拡大対象領域を指定できので、拡大操作を容易にできる。
【発明の効果】
【００２５】
本発明によれば、上記各拡大対象領域は、隣接する拡大対象領域間に重複領域が形成されているので、この重複領域により、従来のように、表示画面に表示される画像の全領域を単に分割して定められた拡大対象領域内の画像を拡大する場合に比べて、拡大対象領域の範囲を広くできる。その結果、上記拡大対象領域の重複部分に文字列などのテレビ画像のままでは内容を把握し難い部分が存在する場合には、その部分が多く含まれる上記拡大対象領域を指定することにより内容が把握できるようになる。
【００２６】
さらに、本発明は、上記各拡大対象領域は、その配列順序が、それぞれが予め対応付けられている上記操作キーの配列順序と一致するように定められているので、上記拡大対象領域と操作キーとの対応関係が分かり易く、ユーザは、容易に上記拡大対象領域を指定でき、操作性も向上できる。
【発明を実施するための最良の形態】
【００２７】
［実施の形態１］
図１は、本発明の実施の形態１に係る携帯電話機１の一例を示した斜視図であり、筐体を展開した状態を示している。この携帯電話機１は、いわゆる折り畳み式の携帯電話機であり、それぞれ直方体形状からなる表示筐体２及び操作筐体３がヒンジ部４を介して連結されている。そして、携帯電話機１は、表示筐体２及び操作筐体３の各主面を対向させた状態で折り畳むことができるようになっている。
【００２８】
表示筐体２には、折り畳んだ状態で操作筐体３に対向する主面に表示部５及び受話用レシーバ６が配置されている。表示部５は、表示画像を表示する表示手段となる。そして、この表示部５は、長方形の表示画面５１を有する液晶表示器からなり、その長手方向が表示筐体２の長手方向と一致するように配置されている。受話用レシーバ６は、通話時に相手方電話機からの音声を出力するための音声出力手段であり、表示筐体２におけるヒンジ部４と反対側の端部に配置されている。
【００２９】
操作筐体３には、折り畳んだ状態で表示筐体２に対向する主面に、操作部７及び送話用マイクロホン８が配置されている。操作部７は、複数の操作キー７１を有し、これら操作キー７１を用いて選択操作や決定操作を行うことができるようになっている。送話用マイクロホン８は、通話時にユーザの音声を入力する音声入力手段であり、操作筐体３におけるヒンジ部４と反対側の端部に配置されている。
【００３０】
ヒンジ部４は、表示筐体２及び操作筐体３を各主面が対向するように折り畳み可能に連結している。また、ヒンジ部４は、操作筐体３に対して回動可能に連結される連結部４１と、表示筐体２の外面に対向して配置され、表示筐体２を水平な面内で回転可能に保持する矩形板状の保持部４２とが一体に形成されて構成される。表示筐体２は、その外面がヒンジ部４の保持部４２の平面に対向したまま、表示部５の表示画面に垂直な回転軸（図示せず）を中心にして保持部４２の平面部分に回転可能に連結されている。これにより、表示筐体２は、保持部４２における表示部５の表示画面に水平な面内で回転可能に保持され、操作筐体３に対する傾斜角度を保った状態で回転できるようになっている。
【００３１】
図２は、図１の携帯電話機１の表示筐体２を回転させた状態を示した斜視図であり、正面から見て図１の状態から時計回りに約４５°回転させた状態を示している。図３は、図１の携帯電話機１の表示筐体２を回転させた状態を示した斜視図であり、正面から見て図１の状態から時計回りに９０°回転させた状態を示している。
【００３２】
ユーザは、操作筐体３を把持した状態で、この操作筐体３に対して、表示筐体２を表示部５の表示画面５１に水平な面内において９０°の角度範囲内で回転させることにより、表示画面５１を図１に示した縦長表示状態と、図３に示した横長表示状態とに切り替えることができる。図１に示した縦長表示状態における表示画面５１には、その長手方向を上下方向として画像が表示される。一方、図３に示した横長表示状態における表示画面５１には、その短手方向を上下方向として画像が表示される。
【００３３】
図４は、この携帯電話機１の構成ブロック図である。この携帯電話機１は、アンテナ１１、アンプ１２、チューナ１３、Ａ／Ｄ変換器１４、デコーダ１５、切り替え検出部９０、画像拡大部９１、表示画像生成部９２、表示部５、スピーカ１６、操作部７を備えている。本実施の形態では、アンプ１２、チューナ１３、Ａ／Ｄ変換器１４、デコーダ１５でテレビ画像生成部１０（テレビ画像生成手段）が構成されている。
【００３４】
この携帯電話機１は、アンテナ１１でテレビ放送波を受信し、受信したテレビ放送波に基づくテレビ画像を表示部５の表示画面５１に表示するとともに、そのテレビ画像に対応するテレビ音声をスピーカ１６から出力して、テレビ放送を視聴するようになっている。
【００３５】
アンテナ１１で受信したテレビ放送波に基づく信号は、アンプ１２に入力された後、チューナ１３において、指定されたチャンネル番号のテレビ放送波を抽出し、Ａ／Ｄ変換器１４でアナログ信号をデジタル信号に変換する。
【００３６】
チューナ１３に対するチャンネル番号の指定は、操作キー７１の操作により行うことができる。このとき、操作キー７１を操作してチャンネル番号を入力することにより、チャンネル番号を直接指定することもできるが、テレビ放送波が正常に受信されるまで、チューナ１３に対してチャンネル番号を順次に指定する処理、いわゆるチャンネルサーチを行うこともできる。
【００３７】
Ａ／Ｄ変換器１４でアナログ信号からデジタル信号に変換されたテレビ放送波に基づく信号は、デコーダ１５に入力される。デコーダ１５は、テレビ放送波に基づく信号をデコードすることによりテレビ画像のデータを生成するとともに、テレビ音声のデータを生成する。
【００３８】
本実施の形態では、デコーダ１５で生成された画像データに基づいて、表示画像生成部９２でテレビ画像が含まれる表示画像を生成し、この表示画像を表示部５に表示させるようになっている。また、デコーダ１５で生成された音声データに基づいてスピーカ１６からテレビ音声を出力するようになっている。
【００３９】
この携帯電話機１のデコーダ１５では、デジタルテレビ放送を受信して、テレビ画像、テレビ音声だけでなく、コンテンツデータも生成することができる。コンテンツデータは、表示画像生成部９２に入力されて表示部５に表示される。コンテンツデータが表示部５に表示されることにより、ユーザはデータ放送を見ることができるようになっている。
【００４０】
コンテンツデータには、データ放送向けの言語であるＢＭＬ(Broadcast Markup Language)を用いて作成された文字列の他、画像データやタグ情報などが含まれている。ただし、コンテンツデータに含まれる文字列は、ＢＭＬを用いて作成されるものに限らず、ＨＴＭＬ(Hyper Text Markup Language)などの他の言語を用いて作成されるものであってもよい。
【００４１】
なお、この携帯電話機１を用いて相手方電話機との間で通話を行う場合には、図示していないがアンテナを介して基地局との間で無線信号が送受信される。そして、この携帯電話機１が、基地局からアンテナを介して電子メール等の文字情報を受信した場合には、その文字情報を表示部に表示させるようになっている。
【００４２】
さらに、本実施の形態では、携帯電話機１の表示筐体２を操作筐体３に対して回転させたときに、切り替え検出部９０で、表示画面５１が図５（ａ）に示す横長表示状態であるか、または、図５（ｂ）に示す縦長表示状態であるかを検出するようになっている。切り替え検出部９０で検出した表示状態の結果は、表示画像生成部９２に入力されるようになっている。
【００４３】
なお、横長表示状態における表示画面５１は、図５（ａ）に示すように、ピクト表示領域５１ａ及びテレビ画像表示領域５１ｂに区分されている。また、縦長表示状態における表示画面５１は、図５（ｂ）に示すように、ピクト表示領域５１ａ、テレビ画像表示領域５１ｂ、そしてデータ放送表示領域５１ｃに区分されている。
【００４４】
そして、画像拡大部９１は、テレビ画像の一部を拡大する画像拡大手段となるのであって、拡大対象領域が記憶されるメモリ９１ａと、このメモリ９１ａ内に記憶される拡大対象領域に基づいてテレビ画像の一部を拡大して拡大テレビ画像を生成する画像拡大処理部９１ｂとを備えている。
【００４５】
画像拡大部９１のメモリ９１ａには、図５に示すように、テレビ画像の一部の領域となる拡大対象領域９３が記憶されており、操作キー７１の配列順序と同じ配列順序となるように定められた複数の拡大対象領域９３が記憶されている。本実施の形態では、操作キー７１のうちの数字キー（１キー〜９キー）の配列順序に対応させて、表示画面５１におけるテレビ画像表示領域５１ｂに対して９つの拡大対象領域９３が定められている。さらに、各拡大対象領域９３は、隣接する拡大対象領域間に重複領域が形成されるように定められている。
【００４６】
メモリ９１ａでは、配列位置が一致する操作キー７１と拡大対象領域９３とを対応付けており、操作部７の何れかの操作キー７１を指定すると、配列位置が一致する拡大対象領域９３が指定されるようになっている。そして、この指定された拡大対象領域９３は、画像拡大処理部９１ｂに入力される。
【００４７】
また、メモリ９１ａには、図５の（ａ）（ｂ）に示すように、横長表示状態及び縦長表示状態の表示画像のそれぞれに対応する拡大対象領域群が記憶されている。このメモリ９１ａは、切り替え検出部９０の検出結果に基づいて、横長表示状態に対応させた拡大対象領域群か、縦長表示状態に対応させた拡大対象領域群かの一方を選択するようなっている。各拡大対象領域群は、９つの数字キーに対応させた９つの拡大対象領域から構成される。このように、本実施の形態では、操作キー７１と拡大対象領域９３とを対応付けるとともに、同じ対応付けで、横長表示状態に対応させた拡大対象領域群と、縦長表示状態に対応させた拡大対象領域群とを定めている。
【００４８】
画像拡大処理部９１ｂは、操作キー７１の操作により指定された拡大対象領域９３に基づいて、当該操作キー７１と予め対応付けられた拡大対象領域９３内の画像を拡大させて拡大テレビ画像を生成する。この拡大テレビ画像のデータは、表示画像生成部９２に入力される。本実施形態では、拡大テレビ画像を表示画面５１に表示したときに、テレビ画像表示領域５１ｂの面積よりも小さくなるように拡大テレビ画像の拡大倍率を定めている。なお、テレビ画像表示領域５１ｂの全領域に亘って拡大テレビ画像が表示されるように拡大倍率を定めるようにしてもよい。
【００４９】
表示画像生成部９２は、表示画面５１に表示させる表示画像を生成する表示画像生成手段となる。この表示画像生成部９２は、通常閲覧モード時にテレビ画像を含む表示画像を生成し、拡大閲覧モード時に拡大テレビ画像を含む表示画像を生成する処理を行う。通常閲覧モードとは、テレビ画像の全体を表示画面５１のテレビ画像表示領域５１ｂに表示させている状態をいう。なお、表示画像生成部９２で生成される表示画像には、テレビ画像だけでなく、ピクト表示画像やコンテンツデータの画像も含まれる。
【００５０】
ところで、ユーザは、通常閲覧モードでテレビ画像を視聴している時に、テレビ画像の一部の画像を拡大させて表示させたいと思うときがある。本実施の形態では、ユーザが、拡大させたい拡大対象領域９３に対応した操作キー７１を長押しすることにより、通常閲覧モードから拡大閲覧モードに変わるようになっている。拡大閲覧モードになったときには、表示画像生成部９２は、画像拡大処理部９１ｂで生成された拡大テレビ画像を含むように表示画像を生成する処理を行う。
【００５１】
そして、拡大閲覧モードでは、操作キー７１を押し続けることにより次の処理が行われる。まず、画像拡大部９１のメモリ９１ａから画像拡大処理部９１ｂに、操作キー７１で指定された拡大対象領域９３が入力され、画像拡大処理部９１ｂは、指定された拡大対象領域９３内の画像を拡大して拡大テレビ画像を生成する。表示画像生成部９２は、画像拡大処理部９１ｂから拡大テレビ画像のデータを受け取り、テレビ画像表示領域５１ｂ内にこの拡大テレビ画像が含まれるように表示画面５１に表示される表示画像を生成する。そして、この拡大テレビ画像が含まれる表示画像が表示画面５１に表示される。
【００５２】
さらに、本実施の形態では、拡大閲覧モードにおいて、長押ししていた操作キー７１から指を離して、この操作キー７１を開放させることにより、直ちに、テレビ画像全体が表示される通常閲覧モードに戻るようになっている。即ち、長押ししていた操作キー７１から指を離すと、画像拡大部９１では拡大テレビ画像の生成は行われず、表示画像生成部９２では、通常閲覧モード用の上記テレビ画像を含む表示画像が生成され、テレビ画像全体が表示画面５１に表示された通常閲覧モードに戻る。
【００５３】
なお、表示画像生成部９２は、さらに、横長表示状態のときの表示画面５１に表示される表示画像を生成したり、縦長表示状態のときの表示画面５１に表示される表示画像を生成したりする処理も行う。表示画面５１の表示状態に合わせた表示画像の生成は、切り替え検出部９０の検出結果に基づいて行う。
【００５４】
次に、本実施の形態において、横長表示状態および縦長表示状態の表示画面５１のテレビ画像表示領域５１ｂに対して定められた９つの拡大対象領域９３を、図５に基づいて具体的に説明する。
【００５５】
まず、四隅の拡大対象領域９３（番号［１］［３］［７］［９］）は、上下方向、横方向で隣接する２つの拡大対象領域と辺全体に亘り重複され、斜め方向で隣接する拡大対象領域と角部で重複するように定められる。例えば、番号［１］の拡大対象領域は、横方向及び上下方向に隣接する拡大対象領域（番号［２］と［４］の拡大対象領域）と辺全体に亘り重複され、隣接する中央の拡大対象領域（番号［５］の拡大対象領域）とも角部で重複するように定められる。なお、図５（ａ）では、ハッチングで表された領域が、番号［１］の拡大対象領域９３となっている。
【００５６】
また、番号［２］［４］［６］［８］の拡大対象領域は、上下方向および横方向で隣接する３つの拡大対象領域とそれぞれ辺全体に亘り重複され、斜め方向で隣接する２つの拡大対象領域と角部で重複するように定められる。中央部となる番号［５］の拡大対象領域は、斜め方向で隣接する四隅の拡大対象領域と角部で重複し、上下方向及び横方向に隣接する４つの拡大対象領域との間では辺全体に亘り重複するように定められている。
【００５７】
次に、横長表示状態のテレビ画像に対して、所定の拡大対象領域内の画像を拡大させる具体的な処理について、図６から図１１に基づいて説明する。各図の（ｂ）においてハッチングされている操作キー７１を指定することにより、各図の（ａ）において表示画面５１のハッチングされている拡大対象領域９３が指定され、この拡大対象領域９３に対して拡大テレビ画像が生成される。そして、その拡大テレビ画像が表示画面に表示された状態が各図の（ｃ）に示されている。また、各図の（ａ）には、テレビ放送を受信して、テレビ画像を表示画面５１のテレビ画像表示領域５１ｂに表示させた状態が示されている。本実施形態では、複数の文字列のテレビ画像が表示された状態を示している。
【００５８】
また、本実施の形態では、画像拡大部９１で拡大テレビ画像を生成する際、画像拡大部９１は、テレビ画像が表示される領域よりも小さい領域となる拡大倍率で拡大テレビ画像を生成する。そして、表示画像生成部９２は、テレビ画像の一部を残すように、拡大テレビ画像をテレビ画像に重畳させて、拡大テレビ画像と、テレビ画像の一部とを有する表示画像を生成する。従って、表示画面５１のテレビ画像表示領域５１ｂには、テレビ画像の上に拡大テレビ画像が重ね合わされた状態で画像が表示され、しかも、拡大テレビ画像は、表示画面５１上の指定された拡大対象領域９３の位置を基準として拡大されて表示される。その結果、テレビ画像表示領域５１ｂ内の拡大テレビ画像が表示されている位置に基づいて、テレビ画像のどの部分の拡大対象領域９３が拡大されたかが容易に判別できるようになっている。
【００５９】
まず、図６に示すように、番号［１］の拡大対象領域９３を、番号［１］の操作キー７１で指定して、拡大テレビ画像を表示画面５１に表示させる場合について説明する。図６（ａ）において、番号［１］の拡大対象領域９３には、文字「ａ」「ｂ」「ｃ」「ｄ」「あ」「か」が表示されている。隣接する番号［２］の拡大対象領域９３との重複領域に、文字「ｄ」「あ」「か」が表示され、隣接する番号［５］の拡大対象領域９３との重複領域に、文字「か」が表示されている。番号［１］の操作キー７１で、番号［１］の拡大対象領域９３を指定すると、図６（ｃ）に示すように、テレビ画像表示領域５１ｂ内の左上部に、番号［１］の拡大対象領域９３内の画像が拡大された拡大テレビ画像が表示される。隣接する番号［２］の拡大対象領域９３との重複領域に表示される文字「ｄ」により拡大テレビ画像には文字列「ａｂｃｄ」の全てが表示されてこの文字列の内容は十分把握できる。
【００６０】
次に、図７に示すように、番号［２］の拡大対象領域９３を、番号［２］の操作キー７１で指定して、拡大テレビ画像を表示画面５１に表示させる場合について説明する。図７（ａ）において、番号［２］の拡大対象領域９３には、文字「ｄ」「あ」「い」「う」「え」「お」「か」「き」「く」「け」「こ」が表示されている。隣接する番号［１］の拡大対象領域９３との重複領域には、文字「ｄ」「あ」「か」が表示され、隣接する番号［５］の拡大対象領域９３との重複領域に、文字「か」「き」「く」「け」「こ」が表示されている。番号［２］の操作キー７１で、番号［２］の拡大対象領域９３を指定すると、図７（ｃ）に示すように、テレビ画像表示領域５１ｂ内の左右中央上部に、番号［２］の拡大対象領域９３内の画像が拡大された拡大テレビ画像が表示される。隣接する番号［１］の拡大対象領域９３との重複領域に表示されている文字「あ」と「か」により、拡大テレビ画像には文字列「あいうえお」と「かきくけこ」の全てが表示されて各文字列の内容が十分把握できる。
【００６１】
次に、図８に示すように、番号［５］の拡大対象領域９３を、番号［５］の操作キー７１で指定して、拡大テレビ画像を表示画面５１に表示させる場合について説明する。図８（ａ）において、番号［５］の拡大対象領域９３には、文字「か」「き」「く」「け」「こ」「さ」「し」「す」「せ」「そ」「ｅ」が表示されている。隣接する番号［２］の拡大対象領域９３との重複領域には、文字「か」「き」「く」「け」「こ」が表示され、隣接する番号［８］の拡大対象領域９３との重複領域には、文字「さ」「し」「す」「せ」「そ」「ｅ」が表示されている。さらに、隣接する番号［１］と［４］の拡大対象領域９３との重複領域に文字「か」が表示され、隣接する番号［４］と［７］の拡大対象領域９３との重複領域に文字「さ」が表示され、隣接する番号［６］と［９］の拡大対象領域９３との重複領域に文字「ｅ」が表示されている。番号［５］の操作キー７１で、番号［５］の拡大対象領域９３を指定すると、図８（ｃ）に示すように、テレビ画像表示領域５１ｂ内の中央部に、番号［５］の拡大対象領域９３内の画像が拡大された拡大テレビ画像が表示される。隣接する番号［２］と［８］の拡大対象領域９３との重複領域に表示される文字により、拡大テレビ画像には文字列「かきくけこ」と「さしすせそ」の全てが表示されて各文字列の内容が十分把握できる。
【００６２】
次に、図９に示すように、番号［６］の拡大対象領域９３を、番号［６］の操作キー７１で指定して、拡大テレビ画像を表示画面５１に表示させる場合について説明する。図９（ａ）において、番号［６］の拡大対象領域９３には、文字「ｅ」「ｆ」「ｇ」「ｈ」「ｉ」「ｊ」が表示されている。隣接する番号［９］の拡大対象領域９３との重複領域に、文字「ｅ」「ｆ」「ｇ」「ｈ」「ｉ」「ｊ」が表示され、隣接する番号［５］と［８］の拡大対象領域９３との重複領域に文字「ｅ」が表示されている。番号［６］の操作キー７１で、番号［６］の拡大対象領域９３を指定すると、図９（ｃ）に示すように、テレビ画像表示領域５１ｂ内の右端上下中央部に、番号［６］の拡大対象領域９３内の画像が拡大された拡大テレビ画像が表示される。隣接する番号［９］の拡大対象領域９３との重複領域に表示される文字により、拡大テレビ画像には文字列「ｅｆｇｈｉｊ」の略全てが表示されて文字列の内容が十分把握できる。
【００６３】
次に、図１０に示すように、番号［８］の拡大対象領域９３を、番号［８］の操作キー７１で指定して、拡大テレビ画像を表示画面５１に表示させる場合について説明する。図１０（ａ）において、番号［８］の拡大対象領域９３には、文字「さ」「し」「す」「せ」「そ」「ｅ」が表示されている。隣接する番号［５］の拡大対象領域９３との重複領域に文字「さ」「し」「す」「せ」「そ」「ｅ」が表示され、文字「さ」は隣接する番号［４］と［７］の拡大対象領域９３との重複領域に表示され、文字「ｅ」は隣接する番号［６］と［９］の拡大対象領域９３との重複領域に表示されている。番号［８］の操作キー７１で、番号［８］の拡大対象領域９３を指定すると、図１０（ｃ）に示すように、テレビ画像表示領域５１ｂ内の左右中央下部に、番号［８］の拡大対象領域９３内の画像が拡大された拡大テレビ画像が表示される。隣接する番号［５］の拡大対象領域９３との重複領域に表示される文字により、拡大テレビ画像には文字列「さしすせそ」の全てが表示されて文字列の内容が十分把握できる。
【００６４】
最後に、図１１に示すように、番号［９］の拡大対象領域９３を、番号［９］の操作キー７１で指定して、拡大テレビ画像を表示画面５１に表示させる場合について説明する。図１１（ａ）において、番号［９］の拡大対象領域９３には、文字「ｅ」「ｆ」「ｇ」「ｈ」「ｉ」「ｊ」が表示されている。隣接する番号［６］の拡大対象領域９３との重複領域に文字「ｅ」「ｆ」「ｇ」「ｈ」「ｉ」「ｊ」が表示され、文字「ｅ」は隣接する番号［５］と［８］の拡大対象領域９３との重複領域に表示されている。番号［９］の操作キー７１で、番号［９］の拡大対象領域９３を指定すると、図１１（ｃ）に示すように、テレビ画像表示領域５１ｂ内の右端下部に、番号［９］の拡大対象領域９３内の画像が拡大された拡大テレビ画像が表示される。隣接する番号［６］の拡大対象領域９３との重複領域により拡大テレビ画像には文字列「ｅｆｇｈｉｊ」の全てが表示されて文字列の内容が十分把握できる。
【００６５】
図６から図１１に示すテレビ画像では、文字列「ａｂｃｄ」は、番号［１］の拡大対象領域内の画像を拡大することにより内容を把握できる。文字列「あいうえお」は、番号［２］の拡大対象領域内の画像を拡大することにより内容を把握できる。文字列「かきくこけ」は、番号［２］または番号［５］の何れかの拡大対象領域内の画像を拡大することにより内容を把握できる。文字列「さしすせそ」は、番号［５］または番号［８］の何れかの拡大対象領域内の画像を拡大することにより内容を把握できる。文字列「ｅｆｇｈｉｊ」は、番号［６］または番号［９］の何れかの拡大対象領域内の画像を拡大することにより内容を把握できる。このように、隣接する拡大対象領域に重複領域を形成しているので、複数の拡大対象領域で、同じ文字列の内容を確認することができるし、操作キーの指定を切り替えるだけで、隣接する拡大対象領域内の画像を拡大させて拡大テレビ画像を表示できるので、文字列の内容の確認が行い易い。
【００６６】
図１２は、本実施の形態において、表示画面を横長表示状態としてテレビ放送を受信し、テレビ画像を表示画面に表示している通常閲覧モードから拡大閲覧モードに変わって、画像の一部を拡大表示する処理を示したフローチャートである。
【００６７】
横長表示状態でテレビ放送を受信すると（ステップＳ１０１）、表示画面にテレビ画像が表示される（ステップＳ１０２）。ステップＳ１０２の状態は、通常閲覧モードとなる。そして、表示画面にテレビ画像が表示されると、表示画面のテレビ画像表示領域に対して、図５（ａ）のように９つの拡大対象領域が定められる（ステップＳ１０３）。
【００６８】
表示画像生成部において、所定の操作キーが押されたか否かの判断を行う（ステップＳ１０４）。操作キーが押されていると判断した場合には（ステップＳ１０４でＹｅｓ）、さらに、操作キーの押し動作時間（ｔ）が所定の時間以上経過しているか否か（ｔ１≦ｔ）の判断を行う（ステップＳ１０５）。ステップＳ１０４において操作キーが押されていないと判断した場合には（ステップＳ１０４でＮｏ）、ステップＳ１０２に戻り、画像を拡大することなく、テレビ画像の全体を含む表示画像を生成して通常閲覧モードを維持する。
【００６９】
操作キーの押し動作時間（ｔ）が所定の時間以上経過（ｔ１≦ｔ）している場合は（ステップＳ１０５でＹｅｓ）、画像拡大部は、操作キーで指定された拡大対象領域に対して拡大テレビ画像を生成し、図６から図１１の（ｃ）に示したように、表示画像生成部で生成した拡大テレビ画像含む表示画像を表示画面に表示する（ステップＳ１０６）。また、所定の時間に満たない場合には（ステップＳ１０５でＮｏ）、ステップＳ１０２に戻り、テレビ画像の全体を表示画面に表示させる通常閲覧モードを維持する。
【００７０】
次に、表示画像生成部は、同じ操作キーが押え続けられているか否かの判断を行う（ステップＳ１０７）。操作キーがそのまま押されている場合には、ステップＳ１０６に戻り、拡大テレビ画像を表示させる拡大閲覧モードを維持する。操作キーが押されていない場合には、操作キーが開放操作されたと判断して（ステップＳ１０７でＮｏ）、ステップＳ１０２に戻り、拡大されていないテレビ画像の全体を表示画面に表示させる通常閲覧モードに戻る。
【００７１】
本実施形態では、ユーザが行う操作部の操作キーの押し下げ動作により、この押し下げられている操作キーに対応した拡大対象領域内の画像を拡大して拡大テレビ画像を表示するようになっている。このとき、この拡大対象領域は、これと隣接する拡大対象領域間に重複領域が形成されるように定められているので、単に境界線で区分した拡大対象領域よりも領域が広くなる。その結果、内容を確認したい部分の拡大対象領域内に表示される範囲がそれだけ広くなるので、この部分の内容が把握し易くなる。
【００７２】
［実施の形態２］
実施の形態１では、表示画面のテレビ画像表示領域に対して、９つの拡大対象領域を定め、これら拡大対象領域は、隣接する拡大対象領域間で重複領域が形成されるようにした。これに対して、実施の形態２では、図１３（ａ）（ｂ）に示すように、テレビ画像表示領域を境界線９４で等分に区分して拡大対象領域を定めている。本実施の形態において、使用する携帯電話機の構造は、前記した実施の形態１と同じ構造であり、拡大対象領域の定め方と、拡大対象領域を拡大させる処理の方法が実施の形態１と異なる。なお、同じ構成部分については、同じ符号で示し、説明を省略する。
【００７３】
本実施の形態では、画像拡大部９１は、図１３の（ａ）（ｂ）に示すように、横長表示状態及び縦長表示状態の表示画像のそれぞれに対応する拡大対象領域群を定めており、切り替え検出部９０の検出結果に基づいて、横長表示状態に対応させた拡大対象領域群か、縦長表示状態に対応させた拡大対象領域群かの一方を選択するようなっている。そして、各拡大対象領域群は、９つの数字キーに対応させた９つの拡大対象領域９３ａから構成され、表示画面５１のテレビ画像表示領域５１ｂを境界線９４で区分して各拡大対象領域９３ａが定められている。本実施の形態においても、操作キー７１と拡大対象領域９３ａとを対応付けるとともに、同じ対応付けで、横長表示状態に対応させた拡大対象領域群と、縦長表示状態に対応させた拡大対象領域群とを定めているので、操作キー７１で拡大対象領域９３ａを指定する際の操作性を良好にできる。
【００７４】
さらに、本実施の形態においても、何れかの操作キー７１が押されたままの状態になると、拡大閲覧モードとなり、操作キー７１から指が離れた状態になると通常閲覧モードに戻るようになっている。
【００７５】
本実施の形態での拡大閲覧モードにおける画像の処理について、図１４に基づいて説明する。図１４は、テレビ放送を受信して、テレビ画像を横長表示状態の表示画面５１に表示させた態様の一例を示した図である。また、本実施の形態では、表示画面５１のテレビ画像表示領域５１ｂに、図１４（ａ）に示すような楕円形や四角形の画像が表示されている。図１４（ａ）は、横長表示状態の表示画面５１に表示されたテレビ画像の状態を示すとともに、表示画面５１のテレビ画像表示領域５１ｂを９つの拡大対象領域９３ａに区分している状態を示す。本実施の形態では、拡大対象領域９３ａは、初期の段階において、隣接する拡大対象領域の間に重複領域は形成されないように定められている。
【００７６】
また、図１４（ｂ）は、（ａ）の状態の左上部の拡大対象領域９３ａが指定されて拡大された第一拡大テレビ画像が表示画面５１に表示された状態を示す。そして、図１４（ｃ）は、図１４（ａ）に示す最初の拡大対象領域９３ａより広い拡大対象領域となるように新たに定められた拡大対象領域９３ｂ内の画像を拡大させて第二拡大テレビ画像が表示された状態を示す。
【００７７】
本実施の形態では、画像拡大部９１は、テレビ画像表示領域５１ｂの全表示領域を境界線９３で等分に９つの拡大対象領域９３ａに区分する。このように区分された状態において、例えば、番号[１]の操作キー７１を押して、図１４（ａ）における左端上部の番号［１］の拡大対象領域９３ａ内の画像を拡大して第一拡大テレビ画像を表示する。通常閲覧モードで表示されているテレビ画像中には、楕円の内部に「ａｂｃｄ」の文字列が表示されている画像が表示されているが、この第一拡大テレビ画像には、文字「ａｂｃ」と楕円の一部しか表示されないので、楕円の形状と文字列の内容が把握できない。
【００７８】
そこで、本実施の形態では、番号[１]の操作キー７１を押し続けることにより、図１４（ａ）に示した拡大対象領域９３ａを拡大した新たな第２の拡大対象領域９３ｂを定める。そして、図１４（ｃ）に示すように、この第２の拡大対象領域９３ｂ内の画像を拡大して第二拡大テレビ画像を表示画面５１に表示させる。第２の拡大対象領域９３ｂは、隣接する拡大対象領域間で重複する領域が形成されるように定められている。
【００７９】
第二拡大テレビ画像は、拡大対象領域９３ａを拡大して、隣接する拡大対象領域間の重複領域が形成された新たな第２の拡大対象領域９３ｂ内の画像を拡大した拡大画像となる。その結果、図１４（ｂ）に示すように第一拡大テレビ画像では楕円形の画像の全てが表示されない場合でも、第二拡大テレビ画像に変えることにより、楕円形の画像の全てが表示された状態にできるので、楕円の形状はもちろんのこと、楕円内の文字列の内容も把握できる。
【００８０】
なお、本実施の形態においても、押し続けていた操作キー７１を、押さない状態にしたときには、拡大閲覧モードから、図１４（ａ）に示す画像の状態である通常閲覧モードに戻るようになっている。
【００８１】
図１５は、本実施の形態２において、表示画面を横長表示状態としてテレビ放送を受信し、テレビ画像を表示画面に表示している通常閲覧モードから拡大閲覧モードに変わって、画像の一部を拡大表示する処理を示したフローチャートである。
【００８２】
横長表示状態でテレビ放送を受信すると（ステップＳ２０１）、表示画面にテレビ画像が表示される（ステップＳ２０２）。ステップＳ２０２の状態は、通常閲覧モードとなる。そして、表示画面にテレビ画像が表示されると、表示画面のテレビ画像表示領域に対して、図１４（ａ）のように９つの拡大対象領域に定められる（ステップＳ２０３）。
【００８３】
表示画像生成部において、所定の操作キーが押されたか否かの判断を行う（ステップＳ２０４）。操作キーが押されていると判断した場合には（ステップＳ２０４でＹｅｓ）、さらに、操作キーの押し動作時間（ｔ）が所定の時間の範囲内（ｔ１≦ｔ≦ｔ２）であるか否かの判断を行う（ステップＳ２０５）。ステップＳ２０４において操作キーが押されていないと判断した場合には（ステップＳ２０４でＮｏ）、ステップＳ２０２に戻り、画像を拡大することなく、テレビ画像の全体を含む表示画像を生成して通常閲覧モードを維持する。
【００８４】
操作キーの押し動作時間（ｔ）が所定の時間の範囲内（ｔ１≦ｔ≦ｔ２）の場合は（ステップＳ２０５でＹｅｓ）、画像拡大部は、操作キーで指定された拡大対象領域に対して拡大テレビ画像を生成し、図１４（ｂ）の状態の表示画像生成部で生成した第一拡大テレビ画像を含む表示画像を表示画面に表示する（ステップＳ２０６）。また、所定の時間に満たない場合には（ステップＳ２０５でＮｏ）、ステップＳ２０２に戻り、テレビ画像の全体を表示画面に表示させる通常閲覧モードを維持する。
【００８５】
次に、表示画像生成部は、同じ操作キーがそのまま押されているか否かの判断を行う（ステップＳ２０７）。操作キーがそのまま押され続けている場合には（ステップＳ２０７でＹｅｓ）、さらに、操作キーの押し動作時間（ｔ）が所定の時間を越えているか否か（ｔ２<ｔ）の判断を行う（ステップＳ２０８）。また、操作キーが押されていない場合、即ち、操作キーから指が離れて開放操作された場合には（ステップＳ２０７でＮｏ）、ステップＳ２０２に戻り、テレビ画像の全体を表示画面に表示させる通常閲覧モードを維持する。
【００８６】
ステップＳ２０８において、操作キーの押し動作時間（ｔ）が所定の時間（ｔ２）を越えていると判断された場合には、画像拡大部は、第二拡大テレビ画像を生成し、前記した図１４（ｃ）の状態の表示画像生成部で生成した第二拡大テレビ画像を含む表示画像を表示画面に表示する（ステップＳ２０９）。また、所定の時間（ｔ２）以下の場合には（ステップＳ２０８でＮｏ）、ステップＳ２０５に戻る。
【００８７】
ステップＳ２０９の第二拡大テレビ画像が表示された状態において、操作キーが押されているか否かの判断を行う（ステップＳ２１０）。操作キーの押し動作が維持されている場合には（ステップＳ２１０でＹｅｓ）、ステップＳ２０９に戻って第二拡大テレビ画像が表示画面に表示される状態を維持する。また、操作キーが押されていないと判断した場合には（ステップＳ２１０でＹｅｓ）、通常閲覧モードに戻る（ステップＳ２１１）。
【００８８】
本実施形態では、最初に定められた拡大対象領域９３ａは、隣接する拡大対象領域との重複領域が形成されないように定められているため、最初に拡大して表示された第一拡大テレビ画像では、十分に画像の内容が把握できない場合がある。そのようなときは、ユーザは、操作キーを押し続けることにより、最初の拡大対象領域９３ａよりも領域を拡大した拡大対象領域９３ｂを定めて、この次の拡大対象領域９３ｂ内の画像を拡大して第二拡大テレビ画像を表示画面に表示できる。このように、携帯電話機１でテレビ画像を表示しているときに、内容を把握し難い部分があったときに、その把握し難い部分を段階的に拡大させて表示する領域を広くできるので、その部分の内容が把握できるようになる。
【００８９】
なお、本実施の形態２においても、拡大テレビ画像の周囲には、拡大されていないテレビ画像の一部が表示されるようにしているので、拡大テレビ画像を見ただけで、どの位置の拡大対象領域が拡大されたのかを容易に判別できる。
【００９０】
［実施の形態３］
実施の形態３では、図１６に示すように、拡大対象領域は、隣接する拡大対象領域の間で半分の領域が重複するように定められている。本実施形態において使用する携帯電話機の構造も、前記した実施の形態１と同じ構造であり、拡大対象領域の定め方と、所定の拡大対象領域に対応する画像の拡大表示の処理の方法が実施形態１と異なる。なお、同じ構成部分については、同じ符号で示し、説明を省略する。
【００９１】
図１６の（ａ）〜（ｃ）は、テレビ画像表示領域における各拡大対象領域の位置と大きさを示しており、図１６の（ｄ）は、操作部の操作キーの配列を示している。
【００９２】
本実施の形態３においても、画像拡大部９１は、表示画面５１のテレビ画像表示領域５１ｂに対して９つの拡大対象領域９３ｃを定める。この場合も、各拡大対象領域９３ｃは、操作キー７１の配列に対応させて定めており、隣接する拡大対象領域９３ｃの間でその半分の領域が重複するように定めている。
【００９３】
具体的には、図１６（ａ）に示すように、四隅の拡大対象領域９３ｃ（番号［１］［３］［７］［９］）は、テレビ画像表示領域５１ｂを４等分に区分した状態で配置される。残りの拡大対象領域９３ｃも同じ大きさの面積として、図１６（ｂ）に示すように、番号［１］と［３］の拡大対象領域９３ｃの間に番号［２］の拡大対象領域９３ｃが位置し、番号［７］と［９］の拡大対象領域９３ｃの間に番号［８］の拡大対象領域９３ｃが位置し、番号［１］と［７］の拡大対象領域９３ｃの間に番号［４］の拡大対象領域９３ｃが位置し、番号［３］と［９］の拡大対象領域９３ｃの間に番号［６］の拡大対象領域９３ｃが位置するように配置される。そして、これらの中心に番号［５］の拡大対象領域９３ｃを配置させる。各拡大対象領域９３ｃは、それぞれ上下方向と横方向で隣接する拡大対象領域９３ｃの間で半分の領域が重複するように定められる。
【００９４】
例えば、番号［１］の拡大対象領域は、横方向及び上下方向に隣接する拡大対象領域（番号［２］と［４］の拡大対象領域）とそれぞれ半分ずつ重複し、隣接する中央の拡大対象領域（番号［５］の拡大対象領域）とはそれぞれ１／４が重複する。
【００９５】
また、番号［２］［４］［６］［８］の拡大対象領域は、上下方向および横方向で隣接する拡大対象領域とそれぞれ半分の領域が重複し、中央部となる番号［５］の拡大対象領域は、四隅の拡大対象領域との間では、領域の１／４ずつ重複し、上下方向及び横方向に隣接する拡大対象領域との間では、それぞれ領域の半分ずつが重複する。
【００９６】
本実施の形態３においても、上記した各拡大対象領域９３ｃは、その番号と同じ操作キーと対応付けしている。従って、番号［１］の操作キー７１を押すことにより、番号［１］の拡大対象領域９３ｃが指定される。
【００９７】
次に、本実施の形態３において、横長表示状態のテレビ画像に対して、所定の拡大対象領域内の画像を拡大させる具体的な処理について、図１７に基づいて説明する。図１７（ａ）は携帯電話機１を横長表示状態にしたときの表示画面５１のテレビ画像表示領域５１ｂに９つの拡大対象領域９３ｃを定めた状態を示す。図１７（ｂ）は表示画面５１のテレビ画像表示領域５１ｂに表示されたテレビ画像の状態を示す。図１７（ｃ）は、（ｂ）の状態の左上部（番号［１］）の拡大対象領域９３ｃ内の画像が拡大された第一拡大テレビ画像が表示画面５１に表示された状態を示す。図１７（ｄ）は、（ａ）に示す最初の拡大対象領域９３ｃより広い拡大対象領域となるように新たに定められた拡大対象領域９３ｄ内の画像を拡大させた第二拡大テレビ画像が表示された状態を示す。
【００９８】
さらに、本実施形態においても、画像拡大部９１は、何れかの操作キー７１が押されたままの状態にあるときに、この操作キー７１に対応した拡大対象領域の画像を拡大表示する処理を行う。
【００９９】
本実施の形態３における拡大テレビ画像を表示する処理について、具体的に図１７に基づいて説明する。表示部５の表示画面５１に、図１７（ｂ）に示すような楕円形や四角形の画像が表示されている場合、まず、表示画面５１のテレビ画像表示領域５１ｂの全領域に対して、画像拡大部９１は、上記したように隣接する拡大対象領域の一部が重複するように９つの拡大対象領域９３ｃを定める。
【０１００】
そして、図１７（ｂ）における左端上部の番号［１］で示される拡大対象領域９３ｃを拡大して表示する場合は、まず、ユーザが、番号[１]の操作キー７１を押す動作を行う。この操作キー７１を押し続けると、画像拡大部９１により、図１７（ｃ）に示すように、この操作キー７１に対応する番号[１]の拡大対象領域９３ｃの画像が、この番号[１]の拡大対象領域９３ｃに隣接する拡大対象領域９３ｃ（番号［２］と、番号［４］と、番号［５］の拡大対象領域）の一部が重複した状態で拡大されて第一拡大テレビ画像が生成され、表示画像生成部９２により、この第一拡大テレビ画像が表示画面に表示される。この第一拡大テレビ画像は、図１７（ｃ）のように、テレビ画像表示領域５１ｂの左側上部に表示される。
【０１０１】
本実施形態では、各拡大対象領域９３ｃの領域は、上下方向及び左右方向で隣接する拡大対象領域９３ｃと領域の半分が重複した状態となっているので、各拡大対象領域９３ｃの領域の広さは、上記実施の形態１の拡大対象領域９３よりもかなり広くなっている。その結果、一つの拡大対象領域の面積が広くなるので、図１７（ｂ）に示すように第一拡大テレビ画像には、楕円形の画像の全てが完全に含まれた状態となり、この楕円形の画像の内容を確実に把握できる。
【０１０２】
また、本実施の形態３では、携帯電話機１は、操作キー７１を押し続けて、図１７（ｃ）の第一拡大テレビ画像が得られた後、そのまま操作キー７１を所定時間押し続けることにより、第一拡大テレビ画像から、図１７（ｄ）に示すように、拡大対象領域を拡大させて第二拡大テレビ画像を表示できるようになっている。
【０１０３】
即ち、画像拡大部９１は、番号[１]の操作キー７１を押し続けることにより、図１７（ａ）に示した拡大対象領域９３ｃを拡大した新たな第２の拡大対象領域９３ｄを定める。そして、図１７（ｄ）に示すように、この第２の拡大対象領域９３ｄ内の画像を拡大して第二拡大テレビ画像を生成し、表示画像生成部９２によりこの第二拡大テレビ画像が表示画面５１に表示される。第２の拡大対象領域９３ｄは、隣接する拡大対象領域間で重複する領域がさらに広くなるように定められている。このように、図１７（ｃ）の第一拡大テレビ画像から、図１７（ｄ）の第二拡大テレビ画像に変えることにより、画像の内容がより把握し易くなる。
【０１０４】
さらに、本実施の形態３においても、拡大テレビ画像の周囲には、拡大されていないテレビ画像の一部が表示されるようにしているので、拡大テレビ画像を見ただけで、どの位置の拡大対象領域が拡大されたのかを容易に判別できる。
【０１０５】
なお、本実施の形態３における画像の一部を拡大して表示する処理は、上記実施の形態２と同様の処理を行う。
【０１０６】
以上のように、本実施の形態３では、各拡大対象領域は、隣接する拡大対象領域と重複するように領域が広くなっているので、ユーザが、操作部の操作キーの押し動作により拡大対象領域内の画像を拡大して表示したときに、拡大して表示された拡大テレビ画像の内容が把握し易くなる。さらに、続けて操作キーの押し動作状態を維持することにより、拡大対象領域をさらに拡大させて拡大テレビ画像を表示することができるので、画像の内容がさらに把握し易くなる。
【０１０７】
［実施の形態４］
実施の形態４は、上記実施の形態３と拡大対象領域の定め方は同様であり、第一拡大テレビ画像の表示も、上記実施の形態３と同様にして、次の第二拡大テレビ画像の表示の処理方法が上記実施の形態３と異なる。即ち、本実施の形態４では、第二拡大テレビ画像は、第一拡大テレビ画像の内容を拡大倍率を増大させて表示画面に表示する。なお、同じ構成部分については、同じ符号で示し、説明を省略する。また、テレビ画像表示領域における各拡大対象領域の位置と大きさは、図１６に示す実施の形態３と同じであるので、説明を省略する。
【０１０８】
本実施の形態４においても、上記した各拡大対象領域９３ｃは、その番号と同じ操作キーと対応付けしている。従って、番号［１］の操作キー７１を押すことにより、番号［１］の拡大対象領域９３ｃが指定される。
【０１０９】
次に、本実施の形態４において、横長表示状態のテレビ画像に対して、所定の拡大対象領域内の画像を拡大させる具体的な処理について、図１８に基づいて説明する。図１８（ａ）は携帯電話機１を横長表示状態にしたときの表示画面５１のテレビ画像表示領域５１ｂに９つの拡大対象領域９３ｃを定めた状態を示す。図１８（ｂ）は表示画面５１のテレビ画像表示領域５１ｂに表示されたテレビ画像の状態を示す。図１８（ｃ）は、（ｂ）の状態の左上部（番号［１］）の拡大対象領域９３ｃ内の画像が拡大された第一拡大テレビ画像が表示画面５１に表示された状態を示す。図１８（ｄ）は、（ａ）に示す最初の拡大対象領域９３ｃの拡大倍率を増大させて第二拡大テレビ画像が表示された状態を示す。
【０１１０】
本実施の形態４では、携帯電話機１は、操作キー７１を押し続けて、図１８（ｃ）の第一拡大テレビ画像が得られた後、そのまま操作キー７１を所定時間押し続けることにより、第一拡大テレビ画像が、図１８（ｄ）に示す第二拡大テレビ画像に変化するようになっている。
【０１１１】
なお、本実施形態においても、画像拡大部９１は、何れかの操作キー７１が押されたままの状態にあるときに、この操作キー７１に対応した拡大対象領域９３ｃの画像を拡大表示する処理を行う。
【０１１２】
本実施の形態４における拡大テレビ画像を表示する処理について、具体的に図１８に基づいて説明する。画像拡大部９１は、図１８（ｃ）に示すように、所定の操作キー７１を押し続けることにより、この操作キー７１に対応する拡大対象領域９３ｃの画像を拡大して第一拡大テレビ画像を生成し、表示画像生成部９２によりこの第一拡大テレビ画像を表示画面５１に表示する。そして、さらに同じ操作キー７１を押し続けることにより、画像拡大部９１は、図１８（ｄ）に示すように、第一拡大テレビ画像の拡大倍率を増大して第二拡大テレビ画像を生成し、この第二拡大テレビ画像が表示画面５１に表示される。
【０１１３】
なお、本実施形態においても、押し続けていた操作キー７１を、押さない状態に戻して操作キーに対して開放操作したときには、図１８（ｂ）に示す画像の状態、即ち、通常閲覧モードに戻るようになっている。
【０１１４】
さらに、本実施の形態４においても、画像の一部を拡大して表示する処理は、上記実施の形態２と同様の処理を行う。
【０１１５】
さらに、本実施の形態４においても、拡大テレビ画像の周囲には、拡大されていないテレビ画像の一部が表示されるようにしているので、拡大テレビ画像を見ただけで、どの位置の拡大対象領域が拡大されたのかを容易に判別できる。
【０１１６】
本実施の形態４においても、各拡大対象領域は、隣接する拡大対象領域と重複するように領域が広くなっているので、ユーザが、操作部の操作キーの押し動作により拡大対象領域の画像を拡大して表示したときに、拡大した表示された拡大テレビ画像の内容が把握し易くなる。さらに、続けて操作キーの押し動作状態を維持することにより、拡大テレビ画像の拡大倍率をさらに大きくて拡大テレビ画像を表示することができるので、画像の内容がさらに把握し易くなる。
【０１１７】
また、以上の各実施の形態にかかる携帯電話機は、表示筐体が表示部の表示画面に水平な面内で回転されたときに、縦長表示状態及び横長表示状態が切り替わるような構成となっている。しかし、携帯電話機の構造は、例えば地磁気を検出する地磁気センサなどの方向検出手段を用いてユーザに対する表示画面の配置方向を検出し、その検出結果に基づいて縦長表示状態及び横長表示状態が切り替わるような構成であってもよい。さらに、携帯電話機は、横長表示状態の表示画面と縦長表示状態の表示画面の切り替えるために、筐体の回転やスライド操作に基づいて切り替えるようにしたり、筐体の操作用ボタンでの操作により切り替えるようにしたりしてもよく、任意に設定できる。
【０１１８】
本発明が適用される携帯電話機としては、上記した各実施の形態の携帯電話機の構成ではなく、表示筐体が操作筐体に対して、表示部の表示画面と水平な軸を中心として回転する携帯電話機も適用できる。また、表示筐体が操作筐体に対して、表示画面と水平な方向にスライドする携帯電話機も適用できる。また、表示筐体が操作筐体に対して表示画面と水平な面で回転するようになっており、表示筐体の長手方向が操作筐体の長手方向に対して垂直に位置したときに、表示筐体と操作筐体とにより筐体全体がＬ字状態となる携帯電話機にも適用できる。また、表示筐体が操作筐体に対して、表示画面と水平な方向にスライドするとともに、表示筐体が操作筐体に対して表示画面と水平な面で回転する携帯電話機にも適用できる。また、表示筐体が操作筐体に対して、表示部と操作部とが対向するように折り畳むだけの携帯電話機にも適用できる。
【０１１９】
なお、本発明の上記拡大対象領域は、テレビ画像の一部の領域として定められているが、データ放送のコンテンツデータの一部の領域として定めることもできる。データ放送とは、デジタルテレビ放送波に基づくテレビ画像やテレビ音声とは別に、ニュースや天気といった各種コンテンツデータを伝送するシステムである。
【０１２０】
さらに、上記した各実施の形態における画像拡大処理方法は、縦長表示状態の表示画面５１にテレビ画像が表示されている場合に、テレビ画像の一部を拡大表示する場合にも適用できる。
【図面の簡単な説明】
【０１２１】
【図１】本発明の実施の形態１による携帯電話機の一例を示した斜視図であり、筐体を展開した状態を示している。
【図２】図１の携帯電話機の表示筐体を回転させた状態を示した斜視図であり、正面から見て図１の状態から時計回りに約４５°回転させた状態を示している。
【図３】図１の携帯電話機の表示筐体を回転させた状態を示した斜視図であり、正面から見て図１の状態から時計回りに９０°回転させた状態を示している。
【図４】この携帯電話機の構成を示したブロック図である。
【図５】本発明の実施の形態１における表示画面上で定められる拡大対象領域の配置状態、および、拡大対象領域と操作キーとの位置関係を示した図である。
【図６】本発明の実施の形態１における番号［１］の拡大対象領域内の画像を拡大する処理の説明図である。
【図７】本発明の実施の形態１における番号［２］の拡大対象領域内の画像を拡大する処理の説明図である。
【図８】本発明の実施の形態１における番号［５］の拡大対象領域内の画像を拡大する処理の説明図である。
【図９】本発明の実施の形態１における番号［６］の拡大対象領域内の画像を拡大する処理の説明図である。
【図１０】本発明の実施の形態１における番号［８］の拡大対象領域内の画像を拡大する処理の説明図である。
【図１１】本発明の実施の形態１における番号［９］の拡大対象領域内の画像を拡大する処理の説明図である。
【図１２】本発明の実施の形態１においてテレビ画像の一部を拡大表示するための処理の一例を示したフローチャートである。
【図１３】本発明の実施の形態２における表示画面上で定められる拡大対象領域の配置状態、および、拡大対象領域と操作キーとの位置関係を示した図である。
【図１４】本発明の実施の形態２において、拡大対象領域内の画像を拡大する処理の説明図である。
【図１５】本発明の実施の形態２においてテレビ画像の一部を拡大表示するための処理の一例を示したフローチャートである。
【図１６】本発明の実施の形態３における表示画面上で定められる拡大対象領域の配置状態、および、拡大対象領域と操作キーとの位置関係を示した図である。
【図１７】本発明の実施の形態３において、拡大対象領域内の画像を拡大する処理の説明図である。
【図１８】本発明の実施の形態４において、拡大対象領域内の画像を拡大する処理の説明図である。
【符号の説明】
【０１２２】
１  携帯電話機
２  表示筐体
３  操作筐体  
４  ヒンジ部
４１  連結部
４２  保持部
５  表示部
５１  表示画面
５１ａ  ピクト表示領域
５１ｂ  テレビ画像表示領域
５１ｃ  データ放送表示領域
６  受話用レシーバ
７  操作部
７１  操作キー
８  送話用マイクロホン
１０  テレビ画像生成部
１１  アンテナ
１２  アンプ
１３  チューナ
１４  Ａ／Ｄ変換器
１５  デコーダ
１６  スピーカ
９０    切り替え検出部
９１    画像拡大部
９１ａ  メモリ
９１ｂ  画像拡大処理部
９２    表示画像生成部
９３    拡大対象領域
９４    境界線
【図１】
0004351717.tif 000002
【図２】
0004351717.tif 000003
【図３】
0004351717.tif 000004
【図４】
0004351717.tif 000005
【図５】
0004351717.tif 000006
【図６】
0004351717.tif 000007
【図７】
0004351717.tif 000008
【図８】
0004351717.tif 000009
【図９】
0004351717.tif 000010
【図１０】
0004351717.tif 000011
【図１１】
0004351717.tif 000012
【図１２】
0004351717.tif 000013
【図１３】
0004351717.tif 000014
【図１４】
0004351717.tif 000015
【図１５】
0004351717.tif 000016
【図１６】
0004351717.tif 000017
【図１７】
0004351717.tif 000018
【図１８】
0004351717.tif 000019